(57)【要約】【課題】  複数の分割データを横並びに印刷して単一のラベルを作成する拡大分割印刷において、容易に任意の分割データ印刷領域に点字打刻が可能な印刷／打刻複合装置、プログラム、および印刷／打刻複合装置の印刷／打刻方法を提供することをその課題とする。【解決手段】  複数の分割画線データＳを印刷する複数の墨字領域ｘを、テープ長方向に沿って横並びに設定する墨字領域設定手段２１０と、入力した文字情報に基づき点字打刻データを生成する点字打刻データ生成手段２１０と、設定した複数の墨字領域ｘのうち少なくとも１以上の領域を、点字打刻データに基づく点字列を打刻する打刻領域として指定する打刻領域指定手段２１０と、指定された打刻領域に点字列を打刻する点字打刻手段３０と、を備えたものである。【選択図】  図９
2006044103.tif 000002
【特許請求の範囲】
【請求項１】
入力された文字情報に基づいて、各文字の画線がテープ幅を超える大きさの印刷文字列となるように墨字印刷データを生成する墨字印刷データ生成手段と、
前記墨字印刷データを、前記テープ幅に合わせて複数の分割画線データに分割する墨字印刷データ分割手段と、
前記各分割画線データを印刷する複数の墨字領域を、テープ長方向に沿って横並びに設定する墨字領域設定手段と、
テープの前記設定した各墨字領域に、前記各分割画線データの印刷を行う墨字印刷手段と、
前記入力した文字情報に基づき点字打刻データを生成する点字打刻データ生成手段と、
前記複数の墨字領域のうち少なくとも１以上の領域を、前記点字打刻データに基づく点字を打刻する点字領域として指定する点字領域指定手段と、
前記テープの前記指定された点字領域に、前記点字を打刻する点字打刻手段と、を備えたことを特徴とする印刷／打刻複合装置。
【請求項２】
前記墨字印刷後、前記テープの印刷済み部分を切離して、前記各分割画線データが横並びに印刷された連続印刷ラベルを作成するフルカット手段をさらに備え、
前記点字打刻手段は、手差しで挿入された前記連続印刷ラベルに前記点字を打刻することを特徴とする請求項１に記載の印刷／打刻複合装置。
【請求項３】
前記各点字領域において、テープ長方向における前記点字の打刻位置を、「前寄せ」、「中央寄せ」、「後寄せ」のなかから選択する打刻位置選択手段を、さらに備えたことを特徴とする請求項１または２に記載の印刷／打刻複合装置。
【請求項４】
前記複数の分割画線データのなかから、いずれか１の分割画線データを指定する分割画線データ指定手段をさらに備え、
前記墨字印刷手段は、前記分割画線データ指定手段によって指定された分割画線データの墨字印刷を行うとともに、
前記点字打刻手段は、前記指定された分割画線データを印刷する墨字領域が、前記点字領域として指定されていた場合に、前記点字打刻を行うことを特徴とする請求項１ないし３のいずれか１項に記載の印刷／打刻複合装置。
【請求項５】
前記テープは、裏面に粘着剤を塗着した記録テープと前記粘着剤を介して前記記録テープの裏面に貼着した剥離紙とから構成され、
前記各墨字領域の境界部分に位置して、前記記録テープを切断するハーフカット手段を、さらに備えたことを特徴とする請求項１ないし４のいずれか１項に記載の印刷／打刻複合装置。
【請求項６】
前記墨字領域設定手段は、前記設定した各墨字領域において、前記各分割画線データをテープ幅方向に連結するための糊代となる余白をテープ幅方向上側に配置することを特徴とする請求項１ないし５のいずれか１項に記載の印刷／打刻複合装置。
【請求項７】
前記墨字印刷手段は、前記各文字の画線を、前記糊代となる余白に一部重複して印刷することを特徴とする請求項６に記載の印刷／打刻複合装置。
【請求項８】
請求項１ないし７のいずれか１項に記載の印刷／打刻複合装置における各手段としてコンピュータを機能させるためのプログラム。
【請求項９】
入力された文字情報に基づいて、各文字の画線がテープ幅を超える大きさの印刷文字列となるように墨字印刷データを生成し、当該墨字印刷データをテープ幅に合わせて分割した、複数の分割画線データの墨字印刷を行い単一のラベルを作成する印刷／打刻複合装置の印刷／打刻方法であって、
前記複数の分割画線データを印刷する複数の墨字領域を、テープ長方向に沿って横並びに設定する墨字領域設定工程と、
前記入力した文字情報に基づき点字打刻データを生成する点字打刻データ生成工程と、
設定した前記複数の墨字領域のうち少なくとも１以上の領域を、前記点字打刻データに基づく点字を打刻する点字領域として指定する点字領域指定工程と、
前記指定された点字領域に前記点字を打刻する点字打刻工程と、を実行することを特徴とする印刷／打刻複合装置の印刷／打刻方法。
【請求項１０】
前記墨字印刷後、前記テープの印刷済み部分を切離して、前記各分割画線データが横並びに印刷された連続印刷ラベルを作成するフルカット手段工程を、さらに実行し、
前記点字打刻工程は、手差しで挿入された前記連続印刷ラベルに前記点字を打刻することを特徴とする請求項９に記載の印刷／打刻複合装置の印刷／打刻方法。
【発明の詳細な説明】
【技術分野】
【０００１】
本発明は、同一の処理対象物に、墨字印刷と点字打刻との複合処理を行う印刷／打刻複合装置、プログラム、および印刷／打刻複合装置の印刷／打刻方法に関するものである。
【背景技術】
【０００２】
従来、被印刷媒体として用意されている複数幅のテープのうち、目的に応じて所望幅のテープを装着し、文字・記号等のキャラクタを入力して印刷するラベル印刷装置が知られている。このラベル印刷装置において、任意の拡大率を設定することにより、入力されたキャラクタを拡大して分割印刷する印刷方法が開示されている（特許文献１参照）。この印刷方法は、所望のサイズに応じた幅のテープが手元にない場合や元来存在しない場合などに有効であり、ユーザは、分割印刷されたラベルを隣接して貼り合わせるなどして、実際に装着されたテープ幅を超えるサイズのキャラクタが印刷されたラベルを作成することができる。また、この拡大分割印刷において、複数の分割データを横並びに印刷して単一のラベルを作成する印刷方法がある。この印刷方法では、ラベルを貼着する直前に、ユーザが分割データ毎にラベルを切断するので各ラベルの貼着位置を誤って貼着する虞がない。
【０００３】
一方、処理対象物に視覚障害者が認識可能な点字を打刻する点字打刻装置が知られている（特許文献２参照）。ここで、前者のラベル印刷装置による拡大分割印刷によって生成したラベルに、点字を打刻することが想定できるが、特に分割データを横並びに印刷し単一のラベルを作成する場合、ユーザは分割データが横並びに印刷された一枚のラベルをまず分割データ毎に切断し、正順に並べ合わせて点字打刻位置を想定した後、点字打刻対象とするラベルに対し点字打刻を行う必要があり手間となる。さらに、ラベルを貼着するまで切断した複数のラベルを保管することになり不便である。
【特許文献１】特開平８−５２９０８号公報
【特許文献２】特開平５−３１９６５号公報
【発明の開示】
【発明が解決しようとする課題】
【０００４】
上記の問題に鑑み、本発明は、複数の分割データを横並びに印刷して単一のラベルを作成する拡大分割印刷において、容易に任意の分割データ印刷領域に点字打刻が可能な印刷／打刻複合装置、プログラム、および印刷／打刻複合装置の印刷／打刻方法を提供することをその課題とする。
【課題を解決するための手段】
【０００５】
本発明の印刷／打刻複合装置は、入力された文字情報に基づいて、各文字の画線がテープ幅を超える大きさの印刷文字列となるように墨字印刷データを生成する墨字印刷データ生成手段と、墨字印刷データを、テープ幅に合わせて複数の分割画線データに分割する墨字印刷データ分割手段と、各分割画線データを印刷する複数の墨字領域を、テープ長方向に沿って横並びに設定する墨字領域設定手段と、テープの設定した各墨字領域に、各分割画線データの印刷を行う墨字印刷手段と、入力した文字情報に基づき点字打刻データを生成する点字打刻データ生成手段と、複数の墨字領域のうち少なくとも１以上の領域を、点字打刻データに基づく点字を打刻する点字領域として指定する点字領域指定手段と、テープの指定された点字領域に、点字を打刻する点字打刻手段と、を備えたことを特徴とする。
【０００６】
また、本発明の印刷／打刻複合装置の印刷／打刻複合方法は、入力された文字情報に基づいて、各文字の画線がテープ幅を超える大きさの印刷文字列となるように墨字印刷データを生成し、当該墨字印刷データをテープ幅に合わせて分割した、複数の分割画線データの墨字印刷を行い単一のラベルを作成する印刷／打刻複合装置の印刷／打刻方法であって、複数の分割画線データを印刷する複数の墨字領域を、テープ長方向に沿って横並びに設定する墨字領域設定工程と、入力した文字情報に基づき点字打刻データを生成する点字打刻データ生成工程と、設定した複数の墨字領域のうち少なくとも１以上の領域を、点字打刻データに基づく点字を打刻する点字領域として指定する点字領域指定工程と、指定された点字領域に点字を打刻する点字打刻工程と、を実行することを特徴とする。
【０００７】
これらの構成によれば、複数の分割データを横並びに印刷して単一のラベルを作成する拡大分割印刷において、当該ラベルの所望の位置に入力されたキャラクタに基づく点字を打刻できるため、点字打刻を行う前に分割画線データ毎にラベルを切断したり、切断した複数のラベルを正順に並べ合わせて点字打刻位置を想定する手間を省くことができる。これにより、ユーザの作業効率を向上させるだけでなく、ラベルの保管も容易となる。さらに、点字打刻領域を複数領域に指定することができるので、点字ラベルとしての機能性を高めることができる。より具体的には、複数のラベルを連結して構成される幅広の文字列の任意の位置に点字を配置することができるとともに、複数箇所に同一の点字を配置することができる。
【０００８】
また、この場合、墨字印刷後、テープの印刷済み部分を切離して、各分割画線データが横並びに印刷された連続印刷ラベルを作成するフルカット手段をさらに備え、点字打刻手段は、手差しで挿入された連続印刷ラベルに点字を打刻することが好ましい。
【０００９】
さらに、この場合、墨字印刷後、テープの印刷済み部分を切離して、各分割画線データが横並びに印刷された連続印刷ラベルを作成するフルカット手段工程を、さらに実行し、点字打刻工程は、手差しで挿入された連続印刷ラベルに点字を打刻することが好ましい。
【００１０】
これらの構成によれば、印刷工程と打刻工程とをいわゆる２パスで行う構成においても、複数の分割データを横並びに印刷して単一のラベルを作成する拡大分割印刷において、入力されたキャラクタに基づく点字を、当該ラベルの所望の位置に、予め指定して打刻することが可能となる。
【００１１】
また、これらの場合、各点字領域において、テープ長方向における点字の打刻位置を、「前寄せ」、「中央寄せ」、「後寄せ」のなかから選択する打刻位置選択手段を、さらに備えたことが好ましい。
【００１２】
この構成によれば、点字領域毎に点字打刻位置を「前寄せ」、「中寄せ」、「後寄せ」に指定することができるので、上記の点字打刻領域の指定と併せて点字位置を自在に配置することができる。具体的には、点字領域が複数存在する場合に、一方の点字領域には「右寄せ」に点字を配置し、他方の点字領域には「左寄せ」に点字を配置するといった配置も可能である。
【００１３】
また、これらの場合、複数の分割画線データのなかから、いずれか１の分割画線データを指定する分割画線データ指定手段をさらに備え、墨字印刷手段は、分割画線データ指定手段によって指定された分割画線データの墨字印刷を行うとともに、点字打刻手段は、指定された分割画線データを印刷する墨字領域が、点字領域として指定されていた場合に、点字打刻を行うことが好ましい。
【００１４】
この構成によれば、生成した複数の分割画線データのうち、指定した分割画線データのみを印刷し、必要に応じて点字を打刻することができるので、例えば、点字の点読等によってラベルの一部分のみが劣化した場合、或いは貼着ミスにより、必要な分割画線データのみを印刷するといった処理が可能となる。すなわち、テープの無駄な消費を抑制することができる。
【００１５】
また、これらの場合、テープは、裏面に粘着剤を塗着した記録テープと粘着剤を介して記録テープの裏面に貼着した剥離紙とから構成され、各墨字領域の境界部分に位置して、記録テープを切断するハーフカット手段を、さらに備えたことが好ましい。
【００１６】
この構成によれば、各墨字領域の境界部分がそれぞれハーフカットされるので、ユーザはラベル貼着時に、分割画線データ毎にラベルを切断する必要がない。すなわち、貼着処理が容易になるとともに、切断ミスを防止できる。
【００１７】
また、これらの場合、墨字領域設定手段は、設定した各墨字領域において、各分割画線データをテープ幅方向に連結するための糊代となる余白をテープ幅方向上側に配置することが好ましい。
【００１８】
この構成によれば、分割画線データが印刷された複数のラベルを連結する際に、連結部分となる糊代を配置して印刷を行うので、糊代が配置されない場合と比較して連結操作が容易となる。また、テープ幅方向上側に糊代を配置することにより、連結部分のラベルの端面が下向きとなるので、ラベルを貼着させた後連結部分にごみや埃がたまりにくい。
【００１９】
また、この場合、墨字印刷手段は、各文字の画線を、糊代となる余白に一部重複して印刷することが好ましい。
【００２０】
この構成によれば、各分割画線データの画線を、連結部分となるのり代に一部重複して印刷するので、分割画線データを連結させたときに、のり代部分によって不自然に分割画線データが途切れる虞がない。従って、複数のラベルを連結して構成される幅広の文字列を見栄えよく印刷することができる。
【００２１】
本発明のプログラムは、上記のいずれか１に記載の印刷／打刻複合装置における各手段としてコンピュータを機能させることを特徴とする。
【００２２】
この構成によれば、複数の分割データを横並びに印刷して単一のラベルを作成する拡大分割印刷において、容易に任意の分割データ印刷領域に点字打刻を行うためのプログラムを提供することができる。
【発明を実施するための最良の形態】
【００２３】
以下、添付の図面を参照して、本発明の印刷／打刻複合装置、プログラム、および印刷／打刻複合装置の印刷方法、の実施形態について説明する。
【００２４】
まず、本発明の印刷／打刻複合装置１について図１〜図６を参照して説明する。この印刷／打刻複合装置１は、墨字印刷を行う前部の墨字印刷部１０と、点字打刻を行う後部の点字打刻部３０とから構成され、墨字印刷部１０において墨字印刷を行った後テープＴを排出し、排出されたそのテープＴを、ユーザにより点字打刻部３０の打刻テープ挿入部３３に挿入することで、点字打刻を行うものである。
【００２５】
図１は、印刷／打刻複合装置１の閉蓋状態の外観斜視図であり、図２は、印刷／打刻複合装置１の開蓋状態の外観斜視図である。両図に示すように印刷／打刻複合装置１は、前端部にキャリアハンドル４を有する装置ケース２により外郭が形成され、当該装置ケース２は、前部ケース２ａと後部ケース２ｂとで一体形成されている。前部ケース２ａには、墨字印刷部１０主装置が内蔵され、これに装着したテープカートリッジＣから繰り出されるテープＴに対して墨字印刷を行う。また、後部ケース２ｂには、点字打刻部３０の主装置が内蔵され、墨字印刷部１０から排出された印刷／切断済のテープＴすなわちラベルを手差し挿入する（ユーザがラベルを指先で把持し、これを点字打刻部３０に案内挿入する）ことにより点字打刻を行う。
【００２６】
前部ケース２ａの前部上面には各種入力キーを備えたキーボード３が配置されると共に、後部上面には、開閉蓋２０が取り付けられている。また、開閉蓋２０には、中央部にディスプレイ１３が配設されている。開閉蓋２０の内部には、その左部に位置してテープＴおよびインクリボンＲを収容したテープカートリッジＣを装着するためのカートリッジ装着部１４（墨字印刷部１０）が窪入形成されており、テープカートリッジＣは、蓋体開放ボタン５の押下により開閉蓋２０が開放された状態でカートリッジ装着部１４に着脱可能に装着される。また、開閉蓋２０の左部にはこれを閉止した状態でテープカートリッジＣの装着／非装着を視認するための覗き窓２０ａが形成されている。
【００２７】
前部ケース２ａ右側部には、電源供給のための電源供給口１１と、パーソナルコンピュータ等の外部装置（図示省略）と接続するための接続口１２（インタフェース）が設けられており、当該接続口１２に外部装置を接続することで、外部装置によって生成された文字情報に基づいて墨字印刷や点字打刻を行い得るようになっている。
【００２８】
また、前部ケース２ａの左側部には、カートリッジ装着部１４と装置外部とを連通する印刷テープ排出口２１が形成され、カートリッジ装着部１４と印刷テープ排出口２１との間には、テープＴに対して切断が行われる切断部１３０（図６参照）が配設されている。切断部１３０は、モータ駆動（フルカッタモータ１３１、図６参照）でテープＴをフルカットするスライド形式のフルカッタ５１と、フルカッタ５１に対してテープ送り方向下流側に設けられ、フルカット同様にモータ駆動（ハーフカッタモータ１３２、図６参照）でテープＴをハーフカットするスライド形式のハーフカッタ５２とを備えている。
【００２９】
フルカッタ５１は、詳細は図示しないが、上下方向にスライドカット可能な斜刃のカッタ刃を有し、カッタ刃（カッタホルダ）を、クランク機構を介して処理テープＴの幅方向にスライド動作させるようになっている。カッタ刃がスライド動作すると、これに臨むテープＴの記録テープおよび剥離紙（詳細は後述する）の両方を切断、すなわちテープＴをフルカットする。
【００３０】
また、ハーフカッタ５２は、フルカッタ５１と概ね同形状に構成され、スライドカット可能な斜刃のカッタ刃を有し、クランク機構を介してテープＴの幅方向にスライド動作可能に構成されている。カッタ刃がスライド動作すると、これに臨むテープＴの記録テープのみを切断、すなわちテープＴをハーフカットする。この場合、カッタ刃の突出量は、フルカッタ５１の場合と異なり、基材シートのみをカットする突出量となるように調整されている。
【００３１】
キーボード３は、種々の指定およびデータを後述する制御部２００に入力するものであって、入力キーには、アルファベットキー群、記号キー群、数字キー群、仮名キー群を含む文字キー群３ａの他、各種の動作を指定するための機能キー群３ｂ等が配列されている。機能キー群３ｂには、テキスト入力時のデータ確定や改行、選択画面における各種モードの選択指示のための選択キー、各種入力を取りけるための取り消しキー、各キーの役割変更などに用いられるシフトキー、カーソル移動やディスプレイ１３の表示範囲を移動させるための４個のカーソルキー、印刷／打刻動作を開始するための印刷／打刻キー、ファイル操作や印刷フォーム選択のためのファイルフォームキー、後述する拡大分割印刷や鏡文字印刷など、特殊な印刷を行うための特殊印刷キー等が設けられている。
【００３２】
ディスプレイ１３は、横方向（Ｘ方向）約１２ｃｍ×縦方向（Ｙ方向）５ｃｍの長方形の形状の内側に、１９２ドット×８０ドットの表示画像データを表示可能であり、ユーザがキーボード３から文字情報を入力して、墨字印刷を行うための墨字データや、点字打刻を行うための点字データを作成・編集する際に用いられる。また、各種エラーやメッセージ（指示内容）を表示し、ユーザに報知する。
【００３３】
カートリッジ装着部１４には、ヘッドカバー１７内にサーマルヘッドから成る印刷ヘッド１５が内蔵されたヘッドユニット１６と、印刷ヘッド１５に対峙するプラテン駆動軸１８と、後述のインクリボンＲを巻き取る巻き取り駆動軸１９と、後述のテープリール２９の位置決め突起２３と、を備えている。また、カートリッジ装着部１４の下側には、プラテン駆動軸１８および巻き取り駆動軸１９を回転させる印刷送りモータ１２１（図６参照）および動力伝達機構（図示省略）が内蔵されている。
【００３４】
テープカートリッジＣは、カートリッジケース２４内部の上部中央部に、一定の幅のテープＴを巻回したテープリール２９と、右下部にインクリボンＲを巻回したリボンリール２７とを収容して構成されており、テープＴとインクリボンＲは同じ幅で構成されている。また、テープリール２９の左下部には上記ヘッドユニット１６を覆うヘッドカバー１７に差し込むための貫通孔２８が形成されており、テープＴとインクリボンＲとが重なる部分に対応して、上記プラテン駆動軸１８に嵌合されて回転駆動するプラテンローラ２５が配置されている。一方、上記リボンリール２７に近接してリボン巻き取りリール２６が配置され、リボンリール２７から繰り出されたインクリボンＲは、ヘッドカバー１７を周回するように配置されたリボン巻き取りリール２６に巻き取られるようになっている。
【００３５】
テープカートリッジＣがカートリッジ装着部１４に装着されると、ヘッドカバー１７に貫通孔２８が、位置決め突起２３にテープリール２９の中心孔が、巻き取り駆動軸１９にリボン巻き取りリール２６の中心孔がそれぞれ差し込まれ、テープＴおよびインクリボンＲを挟み込んで印刷ヘッド１５がプラテンローラ２５に当接して墨字印刷が可能になる。そして、入力した文字情報に基づき墨字データの印刷を行った後、墨字印刷後のテープＴは、印刷テープ排出口２１に送られる。
【００３６】
テープＴは、特に図示はしないが、裏面に粘着剤が塗着され、ポリエチレンテレフタレート（ＰＥＴ）製のフィルムで構成された記録テープと、この粘着剤により記録テープに貼付された剥離紙とから構成されている。剥離紙は、記録テープをラベルとして使用する時まで粘着剤に埃などが付着しないようにするためのものであって、表面にシリコン処理がなされた上質紙などで構成されている。そのため、粘着剤が剥離紙に及ぼす粘着力は、記録テープに及ぼす粘着力よりも極端に小さくなっている。
【００３７】
また、テープＴは、テープ種別（テープ幅、テープ色、墨字インク色、テープ材質など）が異なる複数種のものが用意されており、この種別を指標する複数の孔（図示省略）がカートリッジケース２４の裏面に設けられている。また、複数の孔に対応してカートリッジ装着部１４には、これらを検出するテープ識別センサ（マイクロスイッチ）１４１（図６参照）が複数設けられており、このテープ識別センサ１４１により、テープ種別を判別できるようになっている。
【００３８】
一方、後部ケース２ｂには、その内部に主構成装置を装置フレーム６５に組み込んだ、点字打刻アッセンブリが組み込まれ、その上面は点字打刻アッセンブリの上部が露出するように十字状に開放されている。また、この十字状の露出部３２の右部にはユーザによりテープＴが手差し挿入される打刻テープ挿入部３３が形成されていると共に、左部には点字打刻後のテープＴが排出される打刻テープ排出部３４が形成されている。すなわち、点字打刻部３０の右部に上面を開放した打刻テープ挿入部３３が、またその左部に上面を開放した打刻テープ排出部３４が形成され、これらにより、テープ走行路７０が構成されている。
【００３９】
点字打刻部アッセンブリは、３個の打刻ピン４１（図３（ｂ）参照）により点字打刻を行う打刻ユニット８０と、打刻テープ挿入部３３に挿入されたテープＴを打刻テープ排出部３４に向けて送るテープ送り機構６０と、打刻テープ挿入部３３から打刻テープ排出部３４に至るテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成されるようになっている。
【００４０】
テープ送り機構６０は、正逆回転可能な送りローラ６１と、送りローラ６１を装置フレーム６５に回転自在に支持する支持部材６２と、図示しない動力伝達機構を介して送りローラ６１を回転させる打刻送りモータ１５１（図６参照）とで構成されている。送りローラ６１は、駆動ローラ（図示省略）および従動ローラ６１ａから成るグリップローラで構成されており、従動ローラ６１ａは、形成された点字Ｂを押し潰すことが無いよう、テープ走行路７０の幅方向における上下３カ所ずつ（縦３個の打刻ポイント２０１ａ、２０１ｂ、２０１ｃ（図４（ａ）参照）に相当する位置）に環状溝６３（図５参照）が形成されている。
【００４１】
また、打刻ユニット８０は、図３に示すように、テープＴの裏面側に配設されると共にガイドブロックに上記３個の打刻ピン４１を組み込んだ打刻部材８１（打刻ヘッド）と、各打刻ピン４１を打刻アームを介して打刻動作させる３個のソレノイド４７と、テープＴを挟んで打刻部材（打刻ピン４１）８１と対向する位置に設けられた打刻受け部材８２とで構成されている（図３（ｂ）参照）。打刻受け部材８１には、３個の打刻ピン４１に対応する３個の受け溝が設けられており、ソレノイド４７を駆動して打刻ピン４１を受け溝に向かって打刻動作させることにより、テープＴに打刻凸部が形成されるようになっている。また、打刻ユニット８０は、テープ走行路７０の幅方向における手前側に片寄って固定配置されている（図３（ａ）参照）。従って、最大幅（２４ｍｍ）のテープＴ１に点字打刻を行う場合は、ラベルの幅方向における下半部に点字打刻を行うこととなる（図５参照）。
【００４２】
ここで、図４を参照し、テープＴ（Ｔ３：テープ幅１２ｍｍ）上に形成される点字Ｂ（６点点字Ｂ）について説明する。同図（ａ）は、文字情報「し」を表す点字（点字データ）Ｂを示す図である。同図に示すように、６点点字Ｂは、縦３個×横２個の６個の点（打刻ドット）で１マス２００が構成され、１マス２００で、１文字または濁点等の属性が表現される。なお、点字Ｂには、仮名文字や数字等を表す６点点字の他、縦４個×横２個の８個のビットパターンの点で漢字を表す８点点字も使用されている。本実施形態の印刷／打刻複合装置１は、６点点字を打刻するものであるが、もちろん８点点字を打刻可能な構成であってもよい。
【００４３】
６点点字Ｂは、１マス２００が縦３個×横２個の配置パターンで６個の打刻ポイント２０１ａ〜２０１ｆに分割されており、同図の「し」では、６個の打刻ポイント２０１ａ〜２０１ｆのうち４個の打刻ポイント２０１ａ，２０１ｂ，２０１ｅ，２０１ｆが選択的に打刻されて、テープＴ上に４個の打刻凸部２０２ａ，２０２ｂ，２０２ｅ，２０２ｆが形成されている。また、６個の打刻凸部２０２は、縦方向のピッチが略２．４ｍｍ、横方向のピッチが略２．１ｍｍ、隣接マスの点までの（マス間）ピッチは略３．３ｍｍとなっている。
【００４４】
同図（ｂ）は、打刻凸部２０２の断面形状である。同図に示すように、打刻凸部２０２の形状は、角の丸まった円筒形である。なお、打刻凸部２０２の形状は、角の丸まった円筒形のものが良い（触感が良く好ましい）とされているが、他の形状、例えば半球形、円錐形、四角錐形等であってもよい。
【００４５】
また、本実施形態の点字打刻部３０は、打刻ユニット８０として相互に交換可能な２種類のユニットが用意されており、一方は小形の小打刻凸部２０３を形成し、他方は大形の大打刻凸部２０４を形成する。小打刻凸部２０３は、円筒の直径が略１．４ｍｍ、高さが略０．４ｍｍであり、大打刻凸部２０４は、円筒の直径が略１．８ｍｍ、高さが略０．５ｍｍである。大小２種類の打刻凸部２０３，２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００４６】
次に、図５を参照し、点字打刻部３０におけるテープＴの送りについて説明する。上記のとおり、点字打刻部３０は、打刻ピン４１によりテープＴに打刻凸部２０２を形成する打刻ユニット８０、テープＴが送られるテープ走行路７０、並びにテープ走行路７０に沿ってテープＴを搬送するテープ送り機構６０を備える他、テープＴの送りをガイドするテープガイド部材７１，７２と、テープＴの先端を検出する透過型の先端検出センサ１４２と、をさらに備えている。
【００４７】
打刻テープ挿入部３３には、テープ幅の大きいものからテープＴ１（テープ幅２４ｍｍ）、テープＴ２（テープ幅１８ｍｍ）、テープＴ３（テープ幅１２ｍｍ）が挿入可能となっているが、最大テープ幅のテープＴ１については上下ガイド７１，７２によってガイドされ、それ以外のテープ幅のテープＴ２，Ｔ３については、下テープガイド部材７２のみによってガイドされる。例えば、最小テープ幅のテープＴ３を用いる場合、ユーザは、テープＴ３を下テープガイド部材７２に沿ってその先端がテープ送り機構６０（送りローラ６１）に到達するまで（挿入可能な位置まで）手差し挿入する。そして、テープ挿入をトリガとしてテープ送り機構６０によるテープＴ３の送りを開始させる。
【００４８】
このとき、テープ先端から打刻開始位置までの前余白長が、打刻ユニット８０（打刻ピン４１）と、先端検出センサ１５１との間の長さＬ１よりも短く設定されている場合は（但し、送りローラ６１の位置関係上、前余白長が打刻ユニット８０と送りローラ６１との間の長さＬ２よりも長く設定されていることが前提となる）、送りローラ６１を逆回転させることでテープＴを送り戻し、特定の位置（頭出し位置）まで送ったところで打刻および正方向へのテープ送りを開始する。そして、打刻終了後テープ送り機構６０により所定長さのテープ送りを行うことで、打刻テープ排出部３４からテープＴを排出する。
【００４９】
さらに、図６を参照し、印刷／打刻複合装置１の制御構成について説明する。印刷／打刻複合装置１は、ユーザインタフェースを司る操作部１１０と、墨字印刷を行う墨字印刷部１０と、点字打刻を行う点字打刻部３０と、テープＴを所定長さとなるように切断する切断部１３０と、各種検出を行う検出部１４０と、各部を駆動する駆動部１６０と、各部と接続され、印刷／打刻複合装置１全体を制御する制御部２００とによって構成されている。
【００５０】
操作部１１０は、キーボード３およびディスプレイ１３を有し、ユーザによる文字情報の入力や各種情報の表示などを行う。また墨字印刷部１０は、テープカートリッジＣ、印刷ヘッド１５および印刷送りモータ１２１を有し、テープＴおよびインクリボンＲを搬送しながらテープＴ上に墨字文字情報に基づく墨字データを印刷する。さらに、切断部１３０は、フルカッタ５１およびこれを駆動するフルカッタモータ１３１と、ハーフカッタ５２およびこれを駆動するハーフカッタモータ１３２とを有し、印刷処理後のテープＴにハーフカットのカット線を形成すると共に、印刷済み部分を切断する（フルカット）。
【００５１】
検出部１４０は、テープＴ（テープカートリッジＣ）の種別を検出するテープ識別センサ１４１、点字打刻部３０においてテープＴの先端を検出する先端検出センサ１４２、印刷送りモータ１２１の回転速度を検出する印刷部エンコーダ１４３、打刻送りモータ１５１の回転速度を検出する打刻部エンコーダ１４４を有し各種検出を行う。
駆動部１６０は、ディスプレイドライバ１６１、ヘッドドライバ１６２、印刷送りモータドライバ１６３、およびカッタモータドライバ１６４に加え、後述する点字打刻部３０内のソレノイド４７および打刻ピン４１を駆動する打刻ドライバ１６５、後述する点字打刻部３０内の打刻送りモータ１５１を駆動する打刻送りモータドライバ１６６をさらに有し、各部を駆動する。
また、点字打刻部３０は、ソレノイド４７、打刻ピン４１および打刻送りモータ１５１を備え、テープＴを搬送しながら、生成した点字打刻データに基づく点字データをテープＴ上に打刻する。
【００５２】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、点字データの打刻制御のための制御データ等を記憶する制御データブロック２２２とを有している。なお、文字フォントデータは、ＲＯＭ２２０内ではなく、ＣＧ−ＲＯＭを別個に備えても良い。
【００５３】
ＲＡＭ２３０は、フラグ等として使用される各種ワークエリアブロック２３１の他、生成された墨字印刷データを記憶する墨字印刷データブロック２３２と、墨字印刷データを検出したテープ幅に合わせて分割した分割画線データを記憶する分割画線データブロック２３３と、生成された点字打刻データを記憶する点字打刻データブロック２３４と、ディスプレイ１３に表示するための表示データを記憶する表示データブロック２３５と、を有し、制御処理のための作業領域として使用される。また、ＲＡＭ２３０は電源が切断されても記憶したデータを保持しておくように常にバックアップされている。
【００５４】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データをそのまま或いは加工して内部バス２６０に取り込むと共に、ＣＰＵ２１０と連動して、ＣＰＵ２１０から内部バス２６０に出力されたデータや制御信号を、そのまま或いは加工して駆動部１６０に出力する。
【００５５】
そして、ＣＰＵ２１０は、上記の構成により、ＲＯＭ２２０内の制御プログラムに従って、ＩＯＣ２５０を介して印刷／打刻複合装置１内の各部から各種信号・データを入力する。また、入力した各種信号・データに基づいてＲＡＭ２３０内の各種データを処理し、ＩＯＣ２５０を介して印刷／打刻複合装置１内の各部に各種信号・データを出力することにより、墨字印刷処理および／または点字打刻処理の制御などを行う。
【００５６】
例えば、ＣＰＵ２１０は、ユーザによりキーボード３を介して文字情報が入力されると、入力された文字情報に基づいて墨字印刷データを生成し、墨字印刷データブロック２３２に一時的に記憶する。また、ユーザによって拡大分割印刷（詳細は後述する）が指定された場合は、墨字印刷データを拡大し、さらに検出したテープ幅に基づき複数の分割画線データを生成し、分割画線データブロック２３３に記憶する。一方、墨字印刷とともに点字打刻が指示された場合は、入力された文字情報に基づき点字打刻データを生成し、点字打刻データブロック２３４に一時的に記憶する。そして、印刷送りモータ１２１の駆動を開始し、印刷部エンコーダ１４３の検出結果に応じて印刷ヘッド１５を駆動することにより、墨字印刷データブロック２３２或いは分割画線データブロック２３３内の墨字データに基づいて墨字印刷を行う。
その後、墨字印刷データに基づく所定長さのテープ送りを行った後、フルカッタ５１によりテープ後端部を切断し印刷テープ排出口２１から印刷／切断済テープＴを排出する。
【００５７】
さらに、ユーザにより、印刷／切断済テープＴが打刻テープ挿入部３３から挿入されると、ＣＰＵ２１０は、打刻ユニット８０およびテープ送り機構６０を駆動することにより、点字打刻部３０において、点字打刻データブロック２３４に記憶した点字打刻データに基づき点字打刻が行われる。点字打刻が終了すると、打刻送りモータ１５１の駆動によりテープ送りを行い、打刻テープ排出部３４から打刻済テープＴを排出する。
【００５８】
ここで、上記した拡大分割印刷について図７を参照して説明する。印刷／打刻複合装置１は、入力された文字情報（例えば「社内禁煙」）に基づいて、各文字の画線（文字を構成するために描画された線を示す）が、装着されたテープＴのテープ幅（本実施形態では１２ｍｍ）を超える文字サイズ（本実施形態では２倍）となるように墨字印刷データを生成し、さらに墨字印刷データの印刷文字列が複数のテープに亘って印刷されるように、テープ幅に合わせて墨字印刷データを複数の分割画線データＳ１，Ｓ２に分割する。そして、複数の分割画線データＳ１，Ｓ２をテープ長方向に沿って横並びに印刷し、単一のラベルを生成する（同図（ａ）参照）。このとき、本発明の印刷／打刻複合装置１は、少なくとも１以上の分割画線データの印刷とともに、入力された文字情報「社内禁煙」に基づき点訳処理（「社内禁煙」から「しゃないきんえん」に変換し、さらに点字打刻データを生成する）を行い、点字Ｂを打刻することができる（同図（ｂ）参照）。
【００５９】
ここで、本発明の印刷／打刻複合装置１における墨字印刷および点字打刻の流れを図８の画面遷移図を参照し、ユーザによる操作を中心に説明する。
まず、通常のテキスト入力画面Ｄ１において「社内禁煙」と入力し、上記の拡大分割印刷や、鏡文字印刷など特殊印刷モードに移行するための特殊印刷キー押下によって、特殊印刷画面Ｄ２を表示させる。特殊印刷画面Ｄ２において、拡大分割印刷を選択し、選択キー押下により拡大率設定画面Ｄ３を表示させる。
【００６０】
拡大率設定画面Ｄ３において、表示された拡大率の選択肢から所望の拡大率（本実施例では「２倍」を選択）を選択した後、選択キー押下によって点字打刻領域指定画面Ｄ４を表示させる。なお、拡大率は整数に限らない。また、ユーザが直接拡大率を入力して指定する構成でもよい。
点字打刻領域指定画面Ｄ４では、点字を打刻する領域を、複数の分割画線データＳ１，Ｓ２（図９（ａ）参照）が印刷される墨字領域ｘ１，ｘ２（図９（ａ）参照）から選択することができる。ユーザは、点字Ｂを領域ｘ１およびｘ２のどちらの領域にも配置したい場合、すなわち分割画線データ連結後の合成ラベルＲ２（図９（ｃ）参照）において、上下どちらにも点字Ｂを配置したい場合は、ｘ１およびｘ２の双方の墨字領域を点字打刻領域として設定する「全２／２」を選択すればよい。また、領域ｘ１或いは領域ｘ２どちらか一方の領域に点字を配置したい場合、すなわち分割画線データ連結後の合成ラベルＲ２において、上下どちらか一方に点字Ｂを配置したい場合は、ｘ１或いはｘ２どちらか一方の領域を点字打刻領域として設定する「１／２枚目」（ｘ１を点字打刻領域として設定）或いは「２／２枚目」（ｘ２を点字打刻領域として設定）を選択すればよい。本実施形態では、「全２／２」を選択することとする。
【００６１】
なお、図示された画面Ｄ４'よびＤ４''は、点字打刻領域指定画面において、カーソルキーによるスクロール操作によって表示される選択肢を示している。また、点字Ｂの打刻が必要ない場合は画面Ｄ４''に図示された「しない」を選択すればよい。この場合、点字打刻領域としてどの領域も設定されることはない。
また、拡大率が増加し分割画線データ数が３つ以上ともなると、点字打刻領域の指定パターンとして多くの種類が存在する。この場合、点字打刻領域の指定を段階的にしてもよいし（例えば１／３枚目→３／３枚目→指定終了）、点字打刻領域を示したレイアウト図を表示し選択する構成でもよい。
【００６２】
点字打刻領域の設定後、設定した点字打刻領域における点字打刻位置をさらに指定する画面Ｄ５が表示される。この画面Ｄ５では、画面Ｄ４で設定した点字打刻領域、すなわちｘ１およびｘ２の領域それぞれにおいて、点字打刻位置を「前寄せ」、「中寄せ」、「後寄せ」のいずれかに指定することができる。本実施形態では、点字打刻領域としてｘ１およびｘ２の双方の領域を点字打刻領域として指定しているので、まず、領域ｘ１（1/2枚目）における点字打刻位置を指定し（画面Ｄ５およびＤ５'：本実施形態では「前寄せ」に設定）、次に領域ｘ２（2/2枚目）における点字打刻位置を指定する（画面Ｄ６、Ｄ６'：本実施形態では「後寄せ」に設定）。なお、上記したように選択肢の表示切替はカーソルキーによるスクロール操作により行う。
【００６３】
点字打刻位置の指定を終了後、選択キー押下によって次に墨字印刷する分割画線データを指定する画面Ｄ７が表示される。ユーザは、全ての分割画線データＳ１，Ｓ２を一括して印刷するか（画面Ｄ７：全２／２）、いずれか１の分割画線データのみを指定して印刷するか（画面Ｄ７'：１／２枚目または２／２枚目）を指定することができる。また、１つの分割画線データ（例えばＳ１）を指定して印刷する場合、その分割画線データＳ１を印刷する領域ｘ１が、画面Ｄ４において点字打刻領域として指定されている場合に、点字Ｂの打刻が行われる。本実施形態では、全ての分割画線データＳ１，Ｓ２を一括して印刷することとする。
【００６４】
画面Ｄ７において、墨字印刷する分割画線データを指定し、選択キー或いは印刷／打刻キーを押下すると、印刷／打刻複合装置１において、上記の指定に基づき墨字印刷処理が開始される。
そして、分割画線データＳ１，Ｓ２が横並びに墨字印刷された後、切断され排出されたラベルが、ユーザにより打刻テープ挿入部３３へ差し込まれると（手差し挿入）、上記の指定に基づき、墨字領域ｘ１には「前寄せ」、墨字領域ｘ２には「後寄せ」の位置にそれぞれ点字Ｂが打刻され打刻テープ排出部３４から打刻済みラベルが排出される。
【００６５】
なお、ユーザが点字打刻実行を指示した場合には、印刷テープ排出口２１からテープＴを排出すると共に、ディスプレイ１３上に打刻テープ挿入部３３へのテープ挿入を促す旨のメッセージ表示を行ってもよい。また、メッセージ表示に代えてインジケータやＬＥＤによって表示を行ってもよい。
【００６６】
次に、図９を参照し、上記の手順で墨字印刷および点字打刻が行われた連続印刷ラベルＲ１について説明する。入力された文字情報「社内禁煙」は、上記の指定により２倍に拡大され、装着されたテープのテープ幅１２ｍｍに基づき分割画線データＳ１，Ｓ２がそれぞれ生成され、設定された墨字領域ｘ１に分割画線データＳ１が、墨字領域ｘ２に分割画線データＳ２が墨字印刷されている。そして、テープＴのテープ幅および指定された拡大率に基づいて、その幅が算出された余白Ｐがテープ幅方向上側に配置されており、ユーザは分割画線データＳ１，Ｓ２が墨字印刷された部分を連結して貼着する際に、この余白Ｐを糊代として連結することができる。ところで、分割画線データＳ１，Ｓ２は、互いに重複する部分があるように一部オーバーラップして生成されており、分割画線データＳ２における重複部分Ｓ２ａは、余白Ｐに重複して（はりだして）墨字印刷されている。これは、糊代となる余白Ｐによって不自然に分割画線データＳ１，Ｓ２が途切れることを防止するためである（同図（ａ）参照）。
【００６７】
また、入力された文字情報「社内禁煙」に基づき生成された点字打刻データは、上記の指定に基づき、墨字領域ｘ１および墨字領域ｘ２の双方が点字領域として設定され、墨字領域ｘ１内では「前寄せ」の位置、墨字領域ｘ２内では「後寄せ」の位置に打刻されており、点字Ｂが形成している（同図（ａ）参照）。
さらに、連続印刷ラベルＲ１には、墨字領域ｘ１、ｘ２の境界に位置してハーフカット線ｌが形成されている。これは、記録テープと剥離紙との２層からなるテープＴに対し、記録テープを完全に切断するものであり、このハーフカット線ｌを剥離紙に対する剥離開始部分としてユーザはラベルを貼着することができる。すなわち、分割画線データＳ１，Ｓ２毎にラベルを切断する手間を省くことができる（同図（ｂ）参照）。
【００６８】
そして、図９（ｃ）に示すように、テープ幅１２ｍｍのテープＴに墨字印刷された分割画線データＳ１，Ｓ２を、テープ幅方向に連結させて貼着することによりテープ幅が略２４ｍｍとなる合成ラベルＲ２を生成することができる。また、糊代がテープ幅方向上側に配置されていることにより、合成ラベルＲ２における、連結部分の端面は下向きとなっている（図９（ｄ）参照）。これは、連結部分にごみや埃がたまりにくいだけでなく、図５に図示するように、テープ幅が１２ｍｍを超えるテープにおいては、点字Ｂはテープ幅方向下側に打刻されることになる。従って、下側を基点として分割画線データを連結させることによって、点字Ｂが下側の分割画線データによって隠れてしまう虞がない。
【００６９】
さらに、実際のテープ幅が２４ｍｍのテープに点字Ｂを打刻することを想定した場合、点字Ｂをテープ幅方向上下の２箇所に打刻するには、墨字印刷工程後に点字打刻工程を行う２パスの構成の場合、通常の手順で墨字印刷および点字打刻を行った後、ユーザが印刷打刻済みラベルを上下反転して再度点字打刻を行わせる必要がある。さらに、装置側でも点字打刻データを上下反転させる処理が必要である。
また、墨字印刷工程と点字打刻工程とを同時に行う１パスの構成では、点字打刻機構そのものの変更が必要となる。しかし、同図（ｃ）に示す合成ラベルＲ２では、テープ幅は略２４ｍｍとなり、なおかつ点字Ｂがテープ幅方向上下に点字打刻されている。このように本発明は、非常に単純な構成で、点字Ｂの打刻位置を自在に指定して様々な幅の合成ラベルを作成することができる。
【００７０】
また、ハーフカット線ｌに代えて、ユーザにラベル切断を示唆するカットマークを墨字印刷する構成でもよい。この構成によれば、分割画線データ毎にラベルを切断する必要はあるものの、ハーフカット機構を設ける必要がなくなり、装置構成が簡易となる。
【００７１】
また、本実施形態における印刷／打刻複合装置１の装置ケース２は、墨字印刷部１０を有する前部ケース２ａと、点字打刻部３０を有する後部ケース２ｂとが一体形成されているものとしたが（図１参照）、これらを別装置とし、インタフェース（コネクタ）を介して接続可能な構成としてもよい。点字打刻を必要とするものだけが後部ケース２ｂに相当する装置をオプションとして付加可能であると共に、後部ケース２ｂに相当する装置を他の形態に変更可能であるため、前部ケース２ａに相当する装置（墨字印刷装置）の汎用性を高めることができる。
【００７２】
また、上記の例に示した、印刷／打刻複合装置１の各部（各機能）をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００７３】
また、上述した実施例によらず、印刷／打刻複合装置１の装置構成や処理工程等について、本発明の要旨を逸脱しない範囲で、適宜変更も可能である。
【図面の簡単な説明】
【００７４】
【図１】本発明の一実施形態に係る印刷／打刻複合装置の閉蓋状態の外観斜視図である。
【図２】本発明の一実施形態に係る印刷／打刻複合装置の開蓋状態の外観斜視図である。
【図３】打刻ユニットの平面図および断面図である。
【図４】６点点字の説明図および打刻凸部の断面図である。
【図５】点字打刻部におけるテープの搬送を説明する説明図である。
【図６】印刷／打刻複合装置の制御ブロック図である。
【図７】拡大分割印刷の一例を示す平面図である。
【図８】印刷／打刻複合装置の印刷／打刻の流れを示す画面遷移図である。
【図９】拡大分割印刷および点字打刻が行われたラベルを説明する平面図である。
【符号の説明】
【００７５】
１…印刷／打刻複合装置  １０…墨字印刷部      ３０…点字打刻部  
２００…制御部          ２１０…ＣＰＵ        Ｃ…テープカートリッジ
Ｂ…点字                Ｓ…分割画線データ    Ｔ…テープ  
Ｒ１…連続印刷ラベル    Ｒ２…合成ラベル      ｘ…墨字領域
ｌ…ハーフカット線      Ｐ…余白
【図１】
2006044103.tif 000003
【図２】
2006044103.tif 000004
【図３】
2006044103.tif 000005
【図４】
2006044103.tif 000006
【図５】
2006044103.tif 000007
【図６】
2006044103.tif 000008
【図７】
2006044103.tif 000009
【図８】
2006044103.tif 000010
【図９】
2006044103.tif 000011